(57)【要約】【課題】ヘッド部の向きを変更しても電池残容量低下の警告用の警告灯の点灯を確認することができるものとする。【解決手段】電池電源及びスイッチ１４を備えた本体部１と、光源２２を内蔵するヘッド部２とを有して、本体部１の一端にヘッド部２が回動自在に連結されている。本体部１を握る手の親指で操作される上記スイッチ１４が本体部１の一端寄りに配置され、スイッチ１４近傍で且つ該スイッチ１４よりもヘッド部２がわに電池残容量低下の警告用の警告灯４を配置している。ヘッド部２の向きの変更とそれに伴う持ち方の変更にもかかわらず、警告灯４は常に使用者の目に入る位置にくる。【選択図】図１
2006190625.tif 000002
【特許請求の範囲】
【請求項１】
電池電源及びスイッチを備えた本体部と、光源を内蔵するヘッド部とを有して、本体部の一端にヘッド部が回動自在に連結されたものであって、本体部を握る手の親指で操作される上記スイッチが本体部の一端寄りに配置されているとともに、該スイッチ近傍で且つ該スイッチよりもヘッド部がわに電池残容量低下の警告用の警告灯を配置していることを特徴とする携帯電灯。
【請求項２】
電池電源及びスイッチを備えた本体部と、光源を内蔵するヘッド部とを有して、本体部の一端にヘッド部が回動自在に連結されたものであって、ヘッド部における光源からの光を照射方向に向ける反射板で囲まれた空間内に電池残容量低下の警告用であって上記光源と異なる発光色の警告灯を配置していることを特徴とする携帯電灯。
【発明の詳細な説明】
【技術分野】
【０００１】
本発明は電池を電源としている携帯電灯に関するものである。
【背景技術】
【０００２】
電池を電源とする携帯電灯において、電池の消耗に伴って光源の明るさが徐々に低下するものであれば、電池の消耗状態を使用者は把握することができるが、二次電池を電源とするとともに二次電池の過放電を防止するために放電による電圧低下が所定電圧に達すると電流を遮断するものや、電池の特性上、放電がすすむと急激に電圧が低下するもの、ＤＣ−ＤＣコンバーターを搭載していて電池電圧の低下に伴ってコンバーター出力が急激に低下したりゼロとなるもの等では、電池消耗時に点灯状態から急に消灯状態に、あるいは明るさが急激に落ちた状態になるために、暗所での作業中などでは、使用者は非常に危険な状態となる。また、使用者にしてみれば、電池を交換する（あるいは充電する）時期を掴めないことになる。
【０００３】
このために、電池電圧や放電量を監視して、電池の残容量が低下すれば警告灯をまず点灯させるものが提供されている（特許文献１参照）。
【０００４】
ところで、携帯電灯において、手で持つ部分である本体部に対して光源を搭載したヘッド部の向きを可変としているものがあるが、このタイプのものでは警告灯の配置位置が問題となる。すなわち、ヘッド部の向きを変える時、携帯電灯の持ち方も変わるために、警告灯が見えなくなる虞がある。
【特許文献１】実開平１−９６６０２号公報
【発明の開示】
【発明が解決しようとする課題】
【０００５】
本発明は上記の従来の問題点に鑑みて発明したものであって、ヘッド部の向きを変更しても電池残容量低下の警告用の警告灯の点灯を確認することができる携帯電灯を提供することを課題とするものである。
【課題を解決するための手段】
【０００６】
上記課題を解決するために本発明に係る携帯電灯は、電池電源及びスイッチを備えた本体部と、光源を内蔵するヘッド部とを有して、本体部の一端にヘッド部が回動自在に連結されたものであって、本体部を握る手の親指で操作される上記スイッチが本体部の一端寄りに配置されているとともに、該スイッチ近傍で且つ該スイッチよりもヘッド部がわに電池残容量低下の警告用の警告灯を配置していることに第１の特徴を有しており、電池電源及びスイッチを備えた本体部と、光源を内蔵するヘッド部とを有して、本体部の一端にヘッド部が回動自在に連結されたものであって、ヘッド部における光源からの光を照射方向に向ける反射板で囲まれた空間内に電池残容量低下の警告用であって上記光源と異なる発光色の警告灯を配置していることに第２の特徴を有している。
【０００７】
第１の特徴とするところによれば、ヘッド部の向きを変えても警告灯は手で隠されたりすることなく使用者の目に入る位置にくるものであり、第２の特徴とするところによれば、電池残容量の低下時、照射対象物に照射した光の中に点灯した警告灯の異色の光が入るものである。
【発明の効果】
【０００８】
本発明の第１の特徴とするところによれば、ヘッドの向きの変更とそれに伴う持ち方の変更にもかかわらず、警告灯は常に使用者の目に入る位置にくるために、警告灯の点灯に気がつかないという事態を招くことがなく、使用者は確実に電池残容量の低下を知ることができる。また第２の特徴とするところによれば、警告灯の点灯時、照射対象物への照射光の中に警告灯による異なる色の光が入ることになるために、この場合においてもヘッドの向き及び持ち方にかかわらず、使用者は確実に電池残容量の低下を知ることができる。
【発明を実施するための最良の形態】
【０００９】
以下、本発明を添付図面に示す実施形態に基いて説明すると、図示例の携帯電灯は、電動工具用の電池パック３を電源として利用するもので、二次電池を内蔵する電池パック３が下端に着脱自在に装着される本体部１は、その上端にヘッド部２が回動自在に連結されたものとなっている。
【００１０】
上記本体部１は、図３に示すように、左右二つ割で構成されるとともにビス１１で連結されるハウジング１０内に、回路基板１２と電池パック３との接続用の端子１３とを配設したもので、回路基板１２上にはオンオフ用のプッシュ型のスイッチ１４が設けられており、このスイッチ１４の操作部が本体部１の背面上部側に防水用ゴムキャップ１５が被せられた状態で位置している。本体部１はグリップ型の形状をしており、本体部１を使用者が握った時、親指で操作することができる位置にスイッチ１４が位置しているものである。
【００１１】
一方、ヘッド部２はハウジング２０内にソケット基板２１と反射板２３とを内蔵したもので、ハウジング２０の左右から突出させた連結脚２４を本体部１の一端にビス型の連結軸１７で連結することで本体部１に対して連結軸１７の軸回りに略９０°の範囲（図１と図４に示す範囲）内で回動自在となるようにしたもので、本体部１の回路基板１２にリード線１８によって接続されるソケット基板２１のソケット部にハロゲン球のような光源２２が装着される。図中２５はハウジング２０の投光用開口部に装着される透明カバー、２６は透明カバー２５の固定用の固定枠、２７は上記ソケット基板２１の固定用のビスである。
【００１２】
また、本体部１内にはクリック用係合体１８が配設されている。このクリック用係合体１８は、本体部１に対してヘッド部２を回動させる時、ばね１９による付勢を受けてヘッド部２における上記連結脚２４の内面に形成した複数の被係合部（図示せず）に選択的に係合することで角度保持を行う。
【００１３】
電池残容量の警告用の警告灯４は発光ダイオードで形成されたもので、回路基板１２に接続された警告灯４は、本体部１外面における上記スイッチ１４近傍で且つヘッド部２寄りのところに配置されている。
【００１４】
前記回路基板１２は、電池電圧を計測して計測電圧が警告用所定値まで低下したならば上記警告灯４を点灯もしくは点滅させるとともに計測電圧が上記警告用所定値よりも更に低い遮断用所定値まで低下したならば、前記二次電池の過放電防止のために上記光源２２への電流を遮断する制御回路を実装したものである。
【００１５】
しかして、該携帯電灯では電池パック３を装着した状態でスイッチ１４を投入することで、光源２２に電流を供給して投光を行うことができるとともに、本体部１に対してヘッド部２を回動させて向きを変えることで、投光方向と本体部１を持つ手の位置関係を変更することができるものであり、そして投光による電力消費によって電池パック３内の二次電池の電圧が低下して、前記警告用所定値まで低下した時、警告灯４の点灯乃至点滅がなされ、電池の電圧が更に低下して遮断用所定値まで達したならば光源２２への電流供給が遮断されることで消灯される。
【００１６】
ここにおいて、警告灯４は親指で操作されるスイッチ１４の近傍で且つスイッチ１４よりもヘッド部２側のところに配されているとともに、ヘッド部２を回動させてもヘッド部２によって隠されたり陰となってしまうことがない位置にあるために、本体部１に対するヘッド部２の向きを変えるとともに使用者が携帯電灯を持つ姿勢を変えようと、スイッチ１４を親指で操作することができる状態で本体部１を握っている限り、警告灯４は常に使用者側のところに位置するとともに使用者の手で隠されてしまうようなこともなく、このために使用者は警告灯４による警告を確実に認識することができる。なお、図示例では警告灯４を本体部１に設けているが、ヘッド部２に配置してもよい。
【００１７】
図５に他例を示す。ここでは警告灯４を携帯電灯の外面にではなく、ヘッド部２内部の反射板２３で囲まれた空間内に配置している。また、警告灯４には光源２２が発する色とは異なる色の発光を行う発光ダイオードを用いている。なお、警告灯４は光源２２に近い位置に配置することが好ましい。
【００１８】
このものにおいては、電池電圧が低下することで警告灯４が点灯した時、この警告灯４が発する光が光源２２の光とともに反射板２３で反射されて投光されるものであり、この時、被照射面に照射された光には、光源２２による光の他に、警告灯４による異色の色が一部に入るものであり、このために使用中である時には警告灯４が外部からは見えない位置にあるにもかかわらず、被照射面を注視する使用者にしてみれば、警告灯４の点灯を容易に認識することができる。
【図面の簡単な説明】
【００１９】
【図１】本発明の実施の形態の一例の斜視図である。
【図２】同上の縦断面図である。
【図３】同上の分解斜視図である。
【図４】同上の斜視図である。
【図５】他例の部分縦断面図である。
【符号の説明】
【００２０】
１  本体部
２  ヘッド部
３  電池パック
４  警告灯
１４  スイッチ
２２  光源
【図１】
2006190625.tif 000003
【図２】
2006190625.tif 000004
【図３】
2006190625.tif 000005
【図４】
2006190625.tif 000006
【図５】
2006190625.tif 000007